(57)【特許請求の範囲】
【請求項１】
放射線入射側の上面パネルと、前記上面パネルと対向する底面パネルと、前記上面パネルと前記底面パネルを接続する側面パネルとを含む筐体と、
前記筐体に収納され、入射された放射線量に応じた電気信号を生成する変換素子を有する放射線検出パネルと、
前記筐体に収納され、前記変換素子のためのキャリブレーション光を発生するパネル状の光源と、を備えた放射線画像撮影装置であって、
前記底面パネルの少なくとも一部は着脱可能な蓋部を形成しており、前記蓋部を取り外すことにより前記光源を露出させる開口が形成され、
前記蓋部が前記底面パネルに装着された状態において、前記光源と前記蓋部とは密接することを特徴とする放射線画像撮影装置。
【請求項２】
前記筐体内に固定され、前記筐体に剛性を提供するシャーシをさらに備え、
前記シャーシは、前記光源からのキャリブレーション光を前記放射線検出パネルへ透過させる透過部を有し、前記シャーシの前記上面パネルの側には前記放射線検出パネルが固定され、前記シャーシの前記底面パネルの側に前記光源が固定され、
前記シャーシの前記透過部は、コア材を金属としたハニカム構造を備えることを特徴とする請求項１に記載の放射線画像撮影装置。
【請求項３】
前記透過部は、前記ハニカム構造を２枚の光学的に透明な板で、放射線の入射方向で挟んだ構造を有することを特徴とする請求項２に記載の放射線画像撮影装置。
【請求項４】
前記透過部は、前記ハニカム構造の前記光源の側には光学的に透明な板を配し、前記ハニカム構造の前記放射線検出パネルの側には拡散板が配されることを特徴とする請求項２に記載の放射線画像撮影装置。
【請求項５】
前記コア材の厚みは、前記放射線検出パネルが有する前記変換素子のサイズよりも小さいことを特徴とする請求項２乃至４のいずれか１項に記載の放射線画像撮影装置。
【請求項６】
放射線入射側の上面パネルと、前記上面パネルと対向する底面パネルと、前記上面パネルと前記底面パネルを接続する側面パネルとを含む筐体と、
前記筐体に収納され、入射された放射線量に応じた電気信号を生成する変換素子を有する放射線検出パネルと、
前記筐体に収納され、前記変換素子のためのキャリブレーション光を発生する光源と、  前記光源で発生したキャリブレーション光を面状の光に変換する拡散板と、
前記筐体内に固定され、前記筐体に剛性を提供するシャーシとを備えた放射線画像撮影装置であって、
前記放射線検出パネルは前記シャーシの前記上面パネルの側に、前記シャーシとの間に前記拡散板を挟んで固定され、前記光源は前記シャーシの前記側面パネルと対向する面に固定され、前記シャーシは前記光源からのキャリブレーション光を前記拡散板へ導光する導光部を有し、
前記側面パネルの少なくとも一部は着脱可能な蓋部を形成しており、前記蓋部を取り外すことにより前記光源を露出させる開口が形成されることを特徴とする放射線画像撮影装置。
【請求項７】
放射線入射側の上面パネルと、前記上面パネルと対向する底面パネルと、前記上面パネルと前記底面パネルを接続する側面パネルとを含む筐体と、
前記筐体に収納され、入射された放射線量に応じて発光する蛍光体層と、前記蛍光体層による発光を電気信号に変換する複数の変換素子を有するセンサ層とを有する放射線検出パネルと、
前記筐体に収納され、前記変換素子のためのキャリブレーション光を発生するパネル状の光源と、
前記筐体内に固定され、前記筐体に剛性を提供するシャーシとを備えた放射線画像撮影装置であって、
前記シャーシの前記上面パネルの側には前記センサ層を放射線の入射側に向けて前記放射線検出パネルが固定され、前記放射線検出パネルの前記上面パネルの側に前記光源が配置され、
前記上面パネルの少なくとも一部は着脱可能な蓋部を形成しており、前記蓋部を取り外すことにより前記光源がユーザによって取り扱えるように露出されることを特徴とする放射線画像撮影装置。
【請求項８】
前記光源が前記放射線検出パネルの前記上面パネルの側に固定され、前記蓋部を取り外すことにより、前記光源を露出させる開口が形成されることを特徴とする請求項７に記載の放射線画像撮影装置。
【請求項９】
前記光源が前記蓋部の前記筐体内の側に固定されていることを特徴とする請求項７に記載の放射線画像撮影装置。
【請求項１０】
放射線入射側の上面パネルと、前記上面パネルと対向する底面パネルと、前記上面パネルと前記底面パネルを接続する側面パネルとを含む筐体と、
前記筐体に収納され、入射された放射線量に応じた電気信号を生成する変換素子を有する放射線検出パネルと、
前記筐体に収納され、前記変換素子のためのキャリブレーション光を発生するパネル状の光源と、
前記筐体内に固定され、前記筐体に剛性を提供するシャーシとを備えた放射線画像撮影装置であって、
前記シャーシの前記上面パネルの側には前記光源が、その発光面を前記上面パネルに向けて固定され、
前記上面パネルの少なくとも一部は着脱可能な蓋部を形成しており、前記蓋部の内面には前記放射線検出パネルが固定され、前記蓋部を取り外すことにより前記光源を露出させる開口が形成されることを特徴とする放射線画像撮影装置。
【発明の詳細な説明】
【技術分野】
【０００１】
本発明は、放射線をその強度に応じて電気信号に変換する放射線検出パネルを用いた放射線画像撮影装置に関するものである。
【背景技術】
【０００２】
近年、蛍光体と大面積固体撮像素子を密着させた放射線検出パネル、いわゆるフラットパネルディテクタ（ＦＰＤ）を使用し、放射線像を直接デジタル化するデジタル放射線画像撮影装置が実用化されている。デジタル放射線画像撮影装置は従来のアナログ撮影装置に置き換わり、広く使われるようになってきた。ＦＰＤを採用したデジタル放射線画像撮影装置によれば、放射線像を瞬時にデジタル情報として得ることができ、技師による撮影作業の省力化、医師による読影の効率化等、多くの利点が得られている。そして技術の進歩により、デジタル放射線画像撮影装置は、従来のアナログカセッテのサイズまで小型化され、いわゆる、電子カセッテと呼ばれる可搬型デジタル放射線画像撮影装置が開発されている。電子カセッテは、ポータブル撮影に使用されてきた従来のアナログカセッテと同様に可搬性に優れ、放射線撮影室、更に、病棟において携帯することにより汎用的に使用できる利点を有している。
【０００３】
ポータブル撮影においては、被検者の体重が撮影装置に加わるケースも多々生じるため、撮影装置の構造として、内部に収納した薄く脆性のガラスから成る放射線検出パネルを荷重から保護する高剛性構造が必要とされている。即ち、電子カセッテには、高剛性でありながら、薄型軽量であることが望まれる。
【０００４】
一方、放射線検出パネルは、長時間の使用による特性変動やダーク電流によるＳ／Ｎ比の低下を招くという特性を有する。特許文献１は、このような特性を改善するため、放射線検出パネルの各素子にキャリブレーションのための光を照射する光源を有する装置が提案されている。特許文献１においては、そのような光源として、ＬＥＤ、ＥＬ（エレクトロルミネセンス）、冷陰極管、半導体レーザが開示されている。
【０００５】
特許文献２では、冷陰極管と導光板からなる光源を放射線検出パネルの下方に配置した形態が示されている。また、放射線検出パネル、光源の下方には、これらを支持する部材が配置されている。
【先行技術文献】
【特許文献】
【０００６】
【特許文献１】特開２００２−０４０１４４号公報
【特許文献２】特開２００７−１６３２１６号公報
【発明の概要】
【発明が解決しようとする課題】
【０００７】
電子カセッテの光源としては、薄型軽量の妨げとなる導光板が不要な光源が望ましく、面発光体であり薄く軽量なＥＬ光源が適している。一方、ＥＬ光源を含め一般的に光源は、長期の使用により発光量の低下を生じていく。医療分野においては、一般の民生品に比べ長期の使用耐用年数が望まれる。このため寿命が短い部品に対しては、交換性が考慮されていることが望まれる。また、医療現場では、突発的な装置の故障に対して、速やかに対応が取られ、装置の復帰が行えることが必要とされる。
【０００８】
即ち、放射線検出パネルよりも寿命の短い光源については、その交換性が考慮されることが望まれる。しかしながら、従来の技術では、光源は、放射線検出パネルと放射線検出パネルの支持構造体との間に配置する必要性があり、交換を行うことが困難であった。また、その交換作業についても、作業性が考慮された構造となっていなかった。
【０００９】
本発明は、上述の課題に鑑みてなされたものであり、放射線検出パネルのキャリブレーションのための光源の交換が容易であり、ポータブル撮影において要求される薄型軽量な実装形態を実現する放射線画像撮影装置を提供することを目的とする。
【課題を解決するための手段】
【００１０】
上記の目的を達成するための本発明の一態様による放射線画像撮影装置は以下の構成を備える。すなわち、
放射線入射側の上面パネルと、前記上面パネルと対向する底面パネルと、前記上面パネルと前記底面パネルを接続する側面パネルとを含む筐体と、
前記筐体に収納され、入射された放射線量に応じた電気信号を生成する変換素子を有する放射線検出パネルと、
前記筐体に収納され、前記変換素子のためのキャリブレーション光を発生するパネル状の光源と、を備えた放射線画像撮影装置であって、
前記底面パネルの少なくとも一部は着脱可能な蓋部を形成しており、前記蓋部を取り外すことにより前記光源を露出させる開口が形成され、
前記蓋部が前記底面パネルに装着された状態において、前記光源と前記蓋部とは密接する。
【発明の効果】
【００１１】
本発明によれば、光源の交換が容易となり、長期の使用が要求される医療分野において、長く安定した画像が得られると共に、ポータブル撮影において要求される薄型軽量の実装を可能とした放射線画像撮影装置が提供される。また光源を交換作業の容易な状態で露出させることができ、作業者は、デリケートな放射線検出パネル周りに触れることなく安心して短時間で作業が行え、故障に対して速やかな対応をとることができる。
【図面の簡単な説明】
【００１２】
【図１】第１実施形態の放射線画像撮影装置の構成図。
【図２】第１実施形態におけるシャーシ部の説明図。
【図３】第１実施形態の変形例の放射線画像撮影装置の構成図。
【図４】第２実施形態の放射線画像撮影装置の構成図。
【図５】第３実施形態の放射線画像撮影装置の構成図。
【発明を実施するための形態】
【００１３】
＜第１実施形態＞
図１は、第１実施形態による可搬型の放射線画像撮影装置の構成例を示した構成図である。図１に示されるように、可搬型の放射線画像撮影装置１０１は、放射線入射側の上面パネル１１２ａと、上面パネル１１２ａに対向する底面パネル１１２ｂと、上面パネル１１２ａ及び底面パネル１１２ｂを接続する側面パネル１１２ｃを有する。筐体１１２は、その内部に放射線検出パネル１０２、シャーシ１０５、パネル状の光源１０６を収納している。放射線検出パネル１０２は、入射された放射線量に応じた電気信号を生成する変換素子を有する。本実施形態では、放射線検出パネル１０２は、入射したＸ線を光に変換する蛍光体層１０３と、蛍光体層１０３の発光を電気信号に変換する複数の光電変換素子と複数のスイッチ素子がガラス上に実装されたセンサ層１０４から構成される。従って、変換素子は、蛍光体と光電変換素子から構成されることになる。蛍光体層１０３とセンサ層１０４の２つの層は、接着等の手段により一体化されている。なお、変換素子として、Ｘ線量を直接電気信号へ変換するものを用いても良い。この場合、蛍光体層１０３は省略できる。
【００１４】
シャーシ１０５は、放射線検出パネル１０２を支持するパネル支持構造体であり、筐体１１２に対して剛性を提供する。放射線検出パネル１０２は、蛍光体層１０３がＸ線入射側に位置するように、シャーシ１０５上に固定されている。また、光源１０６は、パネル状の形状を有し、放射線検出パネル１０２のセンサ層１０４に照射されるべきキャリブレーション光を発生する。光源１０６としては、０.４ｍｍ程度の厚みで、軽量なＥＬシート光源が可搬型の放射線画像撮影装置１０１に内蔵させる上で好適である。シート状の光源１０６は、シャーシ１０５において、放射線検出パネル１０２の固定面の反対側の面に、発光面がシャーシ１０５側を向くように配置されている。
【００１５】
シャーシ１０５は、放射線画像撮影装置１０１の上方から加わる荷重に対して、放射線検出パネル１０２を保護する構造体的な機能と共に、光源１０６から発生した光を放射線検出パネル１０２の光電変換素子へ透過させる光学的な機能を有する。図１に示すように、シャーシ１０５は、２枚の薄板である上部補強板１０７と下部補強板１０８と、これに挟まれたコア材１０９から構成された、上記光学的な機能を提供する透過部を有する。
【００１６】
図２（ａ）は、シャーシ１０５をＸ線入射方向から見た図である。上部補強板１０７は、光学的に透明な部材からなる為、コア材１０９が透けて見えている状態を表す。コア材１０９は、正六角形の隔壁を隙間無く平面状に並べたハニカム構造を成している。隔壁として、厚み２５〜５０μｍ程度のアルミニウム製の箔材が用いられ、隔壁で囲まれた空間は空気層からなる。ハニカム構造を用いることにより、コア材１０９の容積の大部分が空気層となる為、シャーシ１０５の大幅な軽量化を図る事が可能である。なお、図２（ａ）では、隔壁の形状を六角形のもので示したが、剛性が満足されるのなら、格子状等、他の形状で軽量化を行っても構わない。本実施形態では、ハニカム構造とは、六角形以外の隔壁形状（例えば正方形）のものも含むものとする。
【００１７】
図２（ｂ）は、図２（ａ）における一点鎖線部分の断面図である。ただし、図２（ｂ）では、後の説明の為、放射線検出パネル１０２と光源１０６も記載している。上部補強板１０７、下部補強板１０８は、例えば、ポリカーボネイト樹脂、メタクリル樹脂等の光学的に透明度の高い樹脂部材からなり、前述のコア材１０９の上下面に接着等の手段により固定されている。これによりシャーシ１０５は、サンドイッチ構造を形成し、軽量で強度の高い支持構造体を構成し、放射線検出パネル１０２を支えている。
【００１８】
シャーシ１０５の下方に配置された光源１０６は、被検者の撮影前後の適切なタイミングで発光させられる。光源１０６として、面発光体であるＥＬシート光源を用いることにより、全面に渡りほぼ均一な発光が得られるとともに、僅かな隙間に配置可能である。また、近年改良が進むＬＥＤ等の小型の発光体を複数平面状に並べてパネル状の光源を構成しても良い。
【００１９】
光源１０６から発生した光は、透明な下部補強板１０８を透過し、コア材１０９に入射される。コア材１０９は、光を通さない金属材料で構成されているが、ハニカム構造のため、断面形状において大部分は空気層が占めている。例えば、対角長さ７ｍｍ、箔の厚みが５０μｍの正六角柱の隔壁で構成されたハニカム構造において、断面形状における空気層の占める割合は、９６％となる。従ってほとんど損失が生じること無く上方へ（放射線検出パネル１０２へ向かって）光を透過させることが可能である。また、コア材１０９にアルミニウム等の反射率の高い金属を使用することにより、ＬＥＤ等の光の拡がりを持つ光源を使用した場合でも、隔壁で反射を生じさせ、光の利用効率を向上させることができる。光は、コア材１０９上部の上部補強板１０７を透過して、放射線検出パネル１０２の裏面に到達する。センサ層１０４上には、複数の光電変換素子１１０が２次元状に形成されている。光電変換素子１１０のピクセルサイズ（図２（ｂ）において寸法Ｓ）は、通常１００〜２００μｍ程度であり、コア材１０９の箔の厚み２５〜５０μｍに対して大きい。従って、コア材１０９の隔壁と光電変換素子１１０の各素子との位置関係が如何なる場合でも各素子全体を隠してしまう恐れはない。勿論、素子と隔壁の位置関係を厳密に合せて実装しても構わない。この場合、隔壁の断面形状は、格子状となる。
【００２０】
光を更に各素子に均等に照射する必要がある場合は、上部補強板１０７に拡散性を向上させた拡散板を用いることにより、均一化を図る事ができる。また逆に、各素子への光の照射量を厳密にコントロールすることも可能である。これは、放射線検出パネルの特性変化に分布を生じている場合に有効である。この場合、光源に複数のＬＥＤを使用し、ハニカム構造の所定の領域ごとに、ＬＥＤの発光量を制御することにより実現できる。
【００２１】
シャーシ１０５は、その周囲に設けた締結部１１１を介して放射線画像撮影装置１０１の外装である筐体１１２の内壁に固定されている。筐体１１２の底面パネル１１２ｂには、蓋部材としてのアクセス蓋１１３が着脱可能に設けられている。アクセス蓋１１３が締結時は、内部の構造体は密閉状態となり保護されている。アクセス蓋１１３を筐体１１２から離間することにより、筐体１１２底面に内部へのアクセスを可能とする開口部が形成される。なお、第２、第３実施形態で後述するように、筐体１１２を上部筐体（上面パネル１１２ｂと側面パネル１１２ｃの上側部分で構成される）と下部筐体（底面パネル１１２ｂと側面パネル１１２ｃの下側部分で構成される）で構成しても良い。この場合、下部筐体をはずすことで光源１０６を露出させることができる。但し、この場合、シャーシ１０５は上部筐体に固定されている必要がある。以上のように、底面パネル１１２ｂの少なくとも一部に着脱可能な蓋部（アクセス蓋１１３または下部筐体）を形成し、蓋部を取り外すことにより光源を露出させる開口が形成されるようにすることで、光源１０６の交換が容易な構成が提供されることになる。。
【００２２】
前述のように、内部の構造体において光源１０６を最下層に配置したことにより、アクセス蓋１１３の離間時に筐体１１２に形成される開口部には、光源１０６が露出している。光源１０６は、非破壊的に剥離が可能な程度の粘着力で下部補強板１０８に貼り付けてある。または、アクセス蓋１１３にスポンジ等の弾性体を取り付けておき、アクセス蓋１１３が締結時は、弾性体により、光源１０６が下部補強板１０８側に押し付けられる構造としておくことにより、粘着自体を不要としてもよい。上述のように、筐体１１２の底面パネル１１２ｂの少なくとも一部には着脱可能な蓋部（アクセス蓋１１３）が設けられており、このアクセス蓋１１３を取り外すことにより光源１０６を露出させる開口が形成される。光源１０６近傍には、光源１０６へ接続された配線のコネクタが設けられており、ユーザは開口からコネクタにアクセスしてこれを外すことより、当該開口より光源１０６を撮影装置から容易に取り外すことができる。
【００２３】
以上述べたように第１実施形態では、撮影装置の下面より、容易に光源へのアクセス、更に、交換が可能となっている。また、放射線検出パネル等のデリケートな部品は筐体内に収まったままであり、作業者は、安心して迅速に作業を行うことができる。
【００２４】
なお、これまで、可搬型の放射線画像撮影装置での実装形態で述べてきたが、交換の作業性を向上させる点からスタンド等に取り付けて使用する据置型の撮影装置に適用することも可能である。この場合、薄型や軽量に対する要求が可搬型の放射線画像撮影装置ほど高くないので、図１においてシャーシに採用したハニカムサンドイッチ構造を、透明樹脂等の光学的に透明な部材で構成することもできる。シャーシを透過性部材で構成することにより、光源を最下層に配置でき、交換性の向上が行える。
【００２５】
図３は、第１実施形態の変形例である。図３において、光源１０６は、シャーシ１０５の両側面に配置してある。光源１０６としてＬＥＤ等の小型光源を複数使用している。また、シャーシ１０５の内部には、光源１０６から拡散板１２１まで光を導く光ファイバーから成る導光路１２２が設けてある。シャーシ１０５内に導光部を設けたことにより、単独で導光板とシャーシ等の部材を別々の層として設ける場合より、厚み全体を強度アップに使用することができ、結果として撮影装置の厚みを薄くすることが可能となる。筐体１１２には、底面の周辺から筐体側面へ延びるアクセス蓋１１３が設けてあり、前述と同様に光源へのアクセス、交換が可能となっている。なお、蓋部材を取り外したときに光源１０６を交換可能に露出させる開口が形成されればよく、開口が側面パネル１１２ｃのみに形成されるようにしてもよい。このように、筐体１１２の側面パネルの少なくとも一部に着脱可能な蓋部（アクセス蓋１１３）を形成し、この蓋部を取り外すことにより光源１０６を露出させる開口が形成されるようにする。
【００２６】
＜第２実施形態＞
図４は、第２実施形態を示した構成図である。第１実施形態では、放射線入手側より放射線検出パネル１０２、シャーシ１０５、光源１０６の順に配置し、光源１０６を最下層に構成することにより、撮影装置の下面から光源へのアクセスを容易とした。これに対して、第２実施形態では、放射線入射側より光源１０６、放射線検出パネル１０２、シャーシ１０５の順に配置し、光源１０６を最上層に構成する。このような構成によれば、放射線画像撮影装置１０１の上方からのアクセスが容易となる。
【００２７】
図４において、図１と同じ構成は同一番号で記す。図４において、放射線検出パネル１０２は、蛍光体層１０３がセンサ層１０４の下側に位置するように、シャーシ１０５上に固定されている。即ち、放射線画像撮影装置１０１の上方より入射したＸ線は、ガラスからなるセンサ層１０４を透過した後、蛍光体層１０３により光に変換され、この発光をセンサ層１０４が捕らえる。この蛍光体層１０３とセンサ層１０４を逆にした配置は、近年半導体技術の向上によりセンサ層１０４として使用するガラスの薄型化が進み、ガラスでのＸ線の減衰が少なくなった為、可能となっている。放射線検出パネル１０２がセンサ層１０４、蛍光体層１０３の順に実装してあることにより、光源１０６は、放射線検出パネル１０２のＸ線入射側に配置することが可能である。なお、光源１０６を透過したＸ線が検出器に入るので、Ｘ線撮影時には光源１０６による減衰が生じる。しかしながら、例えば光源１０６として非常に薄いＥＬシート等を用いればその減衰はわずかであり、光源１０６の内部構造の不均一による写りこみがあっても、キャリブレーションにより補正可能である。光源１０６は、発光面が下向きとなるように、粘着材等によりセンサ層１０４の裏面に仮固定される。なお、光源１０６は、非破壊的に剥離が可能な程度の粘着力でセンサ層１０４の裏面に貼り付けてある。これらの配置により、光源１０６が最上層に位置し、光源１０６へのアクセス性が向上される。
【００２８】
放射線検出パネル１０２を保持するシャーシ１０５は、図１と同様に、筐体１１２の内壁に接合されている。シャーシ１０５は、本形態においては、光学的な特性は特に必要とされないが、剛性と軽量が備わっていることが望まれ、ハニカムサンドイッチ構造を採用することもできる。
【００２９】
筐体１１２は、上部筐体１１４と下部筐体１１５とに分割可能である。上部筐体１１４を取り去ることにより、筐体１１２において上方に向けて開口部が形成される。前述のように、光源が最上層に配置してある為、開口部には、光源１０６が露出する。これにより、光源１０６へのアクセスは容易となっている。また、光源１０６を上部筐体１１４の内壁に仮固定し、離間した時に上部筐体１１４側に付いてくる様に構成することもできる。これにより、光源１０６へのアクセス時に放射線検出パネル等の精密部品への接触は不要となる。なお、第１実施形態のアクセス蓋１１３のように、上面パネル１１２ａの一部に着脱可能の蓋部材を形成し、蓋部材を取り外した場合に、光源１０６を露出させる開口が形成されるようにしてもよい。
【００３０】
以上のように、第２実施形態では、上面パネルの少なくとも一部に着脱可能な蓋部（取り外しが可能な上部筐体１１４）を形成し、この蓋部を取り外すことにより光源１０６がユーザによって取り扱えるように露出される。従って、第１実施形態同様に、ユーザは光源１０６に容易にアクセスすることが出来る。
【００３１】
＜第３実施形態＞
図５は、第３実施形態を示した構成図である。第３実施形態では、Ｘ線入射側から放射線検出パネル１０２、光源１０６、シャーシ１０５の順で配置されている。そして、放射線検出パネル１０２と光源１０６との接合を不要とし、上部筐体１１４をはずした際には光源１０６が露出する様に構成することにより、光源１０６へのアクセスが容易となる。
【００３２】
図５において、放射線検出パネル１０２の蛍光体層１０３上面は、粘着材等の固定手段により、筐体１１２の上部側である上部筐体１１４の内壁に保持されている。なお、不図示であるが、放射線検出パネル１０２に接続され、これを駆動する電気回路基板等も上部筐体１１４側に支持される。一方、筐体１１２の下部側である下部筐体１１５には、シャーシ１０５が固定されている。そして、シャーシ１０５上に、光源１０６が配置される。光源１０６は、上部筐体１１４と下部筐体１１５とが接合した状態では、放射線検出パネル１０２と、シャーシ１０５との間に挟持される為、シャーシ１０５へは、仮止め程度の固定強度でも良い。即ち、光源１０６は、非破壊的に剥離が可能な程度の粘着力でシャーシ１０５の裏面に貼り付けてある。また、光源１０６は、放射線検出パネル１０２側に仮固定しても構わない。
【００３３】
以上の構成によれば、上部筐体１１４を外した場合、放射線検出パネル１０２は上部筐体１１４と一緒に取り除かれる為、筐体１１２の開口部には、光源１０６が露出することになる。これにより、ユーザは光源１０６へ容易にアクセスすることが可能となる。なお、第１実施形態のアクセス蓋１１３のように、上面パネル１１２ａの一部に着脱可能の蓋部材を形成し、蓋部材を取り外した場合に、光源１０６を露出させる開口が形成されるようにしてもよい。
【００３４】
以上のように、第３実施形態では、筐体１１２の上面パネルの少なくとも一部が着脱可能な蓋部（上部筐体１１４）を形成し、蓋部の内面に放射線検出パネル１０２を固定している。そして、蓋部を取り外すことにより光源１０６を露出させる開口が形成されるようにしている。このため、上部筐体１１４をはずした際には光源１０６が露出する様に構成することにより、光源１０６へのアクセスが容易となる。
【図１】
0005464946.tif 000002
【図２】
0005464946.tif 000003
【図３】
0005464946.tif 000004
【図４】
0005464946.tif 000005
【図５】
0005464946.tif 000006